【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
接続された電話機のオフフック及びオンフックを検出する検出手段と、
前記電話機と電話回線との接続を、接続と遮断との間で切り替える切替手段と、
前記切替手段を介して前記電話機に給電する給電手段と、
前記電話機を鳴動させる鳴動モードまたは前記電話機を鳴動させない無鳴動モードを選択する選択手段と、
前記選択手段によって前記鳴動モードが選択され、前記切替手段により前記電話機と前記電話回線とが接続され、且つ、前記給電手段から前記電話機への給電が停止している状態で、前記検出手段により前記電話機のオフフックが検出されると前記給電手段から前記電話機への給電を開始するよう制御する制御手段と、
を有することを特徴とするファクシミリ装置。
【請求項２】
前記電話回線を介して相手機とファクシミリ通信を行うモデムを更に有し、
前記制御手段は、前記検出手段により前記電話機のオフフックが検出されてダイヤル入力があると前記モデムにより前記電話回線を捕捉させて前記切替手段により前記電話機と前記電話回線との接続を遮断し、前記検出手段により前記電話機のオンフックが検出されると前記モデムによりダイヤル信号を送出させた後、前記切替手段により前記電話機と前記電話回線とを接続することを特徴とする請求項１に記載のファクシミリ装置。
【請求項３】
前記制御手段は、前記検出手段により前記電話機のオフフックが検出されると前記給電手段による前記電話機への給電を開始するようにユーザに設定するよう促す画面を表示し、当該画面を介したユーザの設定に従って前記給電手段による前記電話機への給電を開始するよう制御することを特徴とする請求項１又は２に記載のファクシミリ装置。
【請求項４】
前記制御手段は、前記検出手段により前記電話機のオフフックが検出されると前記給電手段による前記電話機への給電を行う設定値を保存し、当該設定値に基づいて前記給電手段による前記電話機への給電を開始するよう制御することを特徴とする請求項１又は２に記載のファクシミリ装置。
【請求項５】
前記制御手段は、前記検出手段により前記電話機のオフフックが検出されると前記給電手段から前記電話機への給電を開始した後、前記検出手段により前記電話機のオンフックが検出されると前記給電手段から前記電話機への給電を停止することを特徴とする請求項１に記載のファクシミリ装置。
【請求項６】
前記検出手段は、前記鳴動モードが前記選択手段によって選択されているときは、前記電話回線から供給される電力に基づいて前記電話機のオフフック及びオンフックを検出し、
前記無鳴動モードが前記選択手段によって選択されているときは、前記給電手段からの前記電話機への給電に基づいて前記電話機のオフフック及びオンフックを検出することを特徴とする請求項１乃至５のいずれか１項に記載のファクシミリ装置。
【請求項７】
ファクシミリ装置を制御する制御方法であって、
接続された電話機のオフフック及びオンフックを検出する検出工程と、
前記電話機と電話回線との接続を、接続と遮断との間で切り替える切替工程と、
前記電話機に給電する給電工程と、
前記電話機を鳴動させる鳴動モードまたは前記電話機を鳴動させない無鳴動モードを選択する選択工程と、
前記選択工程によって前記鳴動モードが選択され、前記切替工程で前記電話機と前記電話回線とが接続され、且つ、前記給電工程による前記電話機への給電が停止している状態で、前記検出工程で前記電話機のオフフックが検出されると前記給電工程による前記電話機への給電を開始するよう制御する制御工程と、
を有することを特徴とする制御方法。
【請求項８】
コンピュータに、請求項７に記載の制御方法の各工程を実行させるためのプログラム。
【手続補正２】
【補正対象書類名】明細書
【補正対象項目名】０００９
【補正方法】変更
【補正の内容】
【０００９】
本発明の目的は、鳴動モードが選択され、電話機と電話回線とが接続され、電話機への給電が停止している状態で、ユーザが電話機をオフフックしてダイヤル入力できるようにする技術を提供することにある。
【手続補正３】
【補正対象書類名】明細書
【補正対象項目名】００１０
【補正方法】変更
【補正の内容】
【００１０】
上記目的を達成するために本発明の一態様に係るファクシミリ装置は以下のような構成を備える。即ち、
接続された電話機のオフフック及びオンフックを検出する検出手段と、
前記電話機と電話回線との接続を、接続と遮断との間で切り替える切替手段と、
前記切替手段を介して前記電話機に給電する給電手段と、
前記電話機を鳴動させる鳴動モードまたは前記電話機を鳴動させない無鳴動モードを選択する選択手段と、
前記選択手段によって前記鳴動モードが選択され、前記切替手段により前記電話機と前記電話回線とが接続され、且つ、前記給電手段から前記電話機への給電が停止している状態で、前記検出手段により前記電話機のオフフックが検出されると前記給電手段から前記電話機への給電を開始するよう制御する制御手段と、を有することを特徴とする。
【手続補正４】
【補正対象書類名】明細書
【補正対象項目名】００１１
【補正方法】変更
【補正の内容】
【００１１】
本発明によれば、鳴動モードが選択され、電話機と電話回線とが接続され、電話機への給電が停止している状態で、ユーザが電話機をオフフックしてダイヤル入力できる効果がある。
【手続補正５】
【補正対象書類名】明細書
【補正対象項目名】００３４
【補正方法】変更
【補正の内容】
【００３４】
オフフック検出部２１６は、Ｈリレー２１４をオンしたときは電話回線１０８から電力が給電されないので、代わりに電話電源供給部２１５から電力を供給することができる。電話電源供給部２１５は、絶縁されたＤＣＤＣコンバータなどを用いて、ポート制御により＋２４Ｖ出力、停止、−１５０Ｖ出力を制御するよう構成することができる。スタンバイ時は、複合機１０１の電話電源供給部２１５から直流２４Ｖが給電され、ハンドセット１０９のオフフック（持ち上げ）を検出できる。またＦＡＸＴＥＬ切替えモードに設定すると、電話電源供給部２１５から直流２４Ｖを給電するが、着信処理の際にＣＰＵ２２０がファクシミリ通信か相手との通話かを自動判定する。通話と判定された場合、ハンドセット１０９を鳴動させる疑似的な呼び出し信号（例えば＋２４Ｖと−１５０Ｖを一定周期で変化させる）を電話電源供給部２１５から発生させる構成にしても良い。電話電源供給部２１５をオンして＋２４Ｖを出力すると、その間、約１Ｗの電力を消費する。電話電源供給部２１５を停止すると、ハンドセット１０９のオフフックを検出できなくなるが、約１Ｗの消費電力を削減できる。消費電力の削減値は回路構成によって異なる。
【手続補正６】
【補正対象書類名】明細書
【補正対象項目名】００６２
【補正方法】変更
【補正の内容】
【００６２】
８００は、テンキーを使用してダイヤルする場合、内部給電設定を「しない」→「する」へ変更する必要があるため、その変更を促す画面例を示す。８０１は、別の注意画面例を示し、ここではＦＡＸ設定で、内部給電設定を「しない」か、「する」かラジオボタンで選択して確定ボタンを押下することで選択できる。８０２は、テンキーを使用してダイヤルする場合、内部給電設定を「しない」→「する」へ変更する必要があるため、その変更するか否を「はい」か「いいえ」で選択できる画面例を示す。
【手続補正７】
【補正対象書類名】図面
【補正対象項目名】図２
【補正方法】変更
【補正の内容】
【図２】
2019047347.tif 000001
【手続補正８】
【補正対象書類名】図面
【補正対象項目名】図３
【補正方法】変更
【補正の内容】
【図３】
2019047347.tif 000002